(57)【特許請求の範囲】
【請求項１】
環状に配列された複数のタービン静翼のチップ側に位置するタービン翼列エンドウォールであって、
前記タービン静翼の上流側に位置するタービン動翼のチップと、このタービン動翼のチップに対向して配置されたチップエンドウォールとの隙間から漏れ出たクリアランス漏れ流れによって、前記タービン静翼の背面において翼高さ方向に発生する圧力勾配を緩和する圧力勾配緩和手段が設けられていることを特徴とするタービン翼列エンドウォール。
【請求項２】
環状に配列された複数のタービン静翼のチップ側に位置するタービン翼列エンドウォールであって、
０％Ｃａｘを軸方向におけるタービン静翼の前縁位置、１００％Ｃａｘを軸方向におけるタービン静翼の後縁位置とし、０％ピッチをタービン静翼の背面における位置、１００％ピッチを前記タービン静翼の腹面と対向するタービン静翼の腹面における位置とした場合に、
一のタービン静翼と、このタービン静翼に隣接配置された他のタービン静翼との間の、略−５０％Ｃａｘ〜＋５０％Ｃａｘの範囲内で、かつ、略０％ピッチ〜略５０％ピッチの範囲内において、全体的になだらかに隆起するとともに、軸方向に略平行に延びる凸部が設けられていることを特徴とするタービン翼列エンドウォール。
【請求項３】
環状に配列された複数のタービン静翼のチップ側に位置するタービン翼列エンドウォールであって、
０％Ｃａｘを軸方向におけるタービン静翼の前縁位置、１００％Ｃａｘを軸方向におけるタービン静翼の後縁位置とし、０％ピッチをタービン静翼の背面における位置、１００％ピッチを前記タービン静翼の腹面と対向するタービン静翼の腹面における位置とした場合に、
一のタービン静翼と、このタービン静翼に隣接配置された他のタービン静翼との間の、略−５０％Ｃａｘ〜＋５０％Ｃａｘの範囲内で、かつ、略０％ピッチ〜略５０％ピッチの範囲内において、全体的になだらかに陥没するとともに、軸方向に略平行に延びる凹部が設けられていることを特徴とするタービン翼列エンドウォール。
【請求項４】
環状に配列された複数のタービン静翼のチップ側に位置するタービン翼列エンドウォールであって、
０％Ｃａｘを軸方向におけるタービン静翼の前縁位置、１００％Ｃａｘを軸方向におけるタービン静翼の後縁位置とし、０％ピッチをタービン静翼の背面における位置、１００％ピッチを前記タービン静翼の腹面と対向するタービン静翼の腹面における位置とした場合に、
一のタービン静翼と、このタービン静翼に隣接配置された他のタービン静翼との間の、略−５０％Ｃａｘ〜＋５０％Ｃａｘの範囲内で、かつ、略０％ピッチ〜略５０％ピッチの範囲内において、全体的になだらかに隆起するとともに、軸方向に略平行に延びる凸部が設けられており、
一のタービン静翼と、このタービン静翼に隣接配置された他のタービン静翼との間の、略−５０％Ｃａｘ〜＋５０％Ｃａｘの範囲内で、かつ、略０％ピッチ〜略５０％ピッチの範囲内において、全体的になだらかに陥没するとともに、軸方向に略平行に延びて前記凸部に連続し前記背面との間に前記凸部を挟むように凹部が設けられていることを特徴とするタービン翼列エンドウォール。
【請求項５】
請求項１から４のいずれか１項に記載のタービン翼列エンドウォールを備えてなることを特徴とするタービン。
【発明の詳細な説明】
【技術分野】
【０００１】
本発明は、タービン翼列エンドウォールに関するものである。
【背景技術】
【０００２】
流体の運動エネルギーを回転運動に変えて動力を得る動力発生装置としてのタービンにおけるタービン翼列エンドウォール上では、一のタービン翼の腹側から隣接するタービン翼の背側に向かって、いわゆる「クロスフロー（二次流れ）」が発生する。
タービン性能の向上を図るには、このクロスフローを低減させるとともに、このクロスフローに伴って発生する二次流れ損失を低減させる必要がある。
【０００３】
そこで、このようなクロスフローに伴う二次流れ損失を低減させて、タービン性能の向上を図るものとして、タービン翼列エンドウォール上に、非軸対称に形成された凹凸を有するものが知られている（例えば、特許文献１参照）。
【特許文献１】米国特許第６２８３７１３号明細書
【発明の開示】
【発明が解決しようとする課題】
【０００４】
ところで、図１３に示すような、タービン動翼（図示せず）の下流側に位置して、タービン動翼のチップとタービン動翼のチップエンドウォールとの隙間（チップクリアランス）から漏れ出たクリアランス漏れ流れによって作動流体（例えば、燃焼ガス）の流入角（入射角）が大きく減少するタービン静翼Ｂのタービン翼列エンドウォール（チップエンドウォール）１００上には、例えば、図１４中に細い実線で示すような流線が形成され、タービン静翼Ｂの前縁から背側に回り込んだ位置（タービン静翼Ｂの前縁から背面に沿って下流側に離間した位置）によどみ点が形成されることとなる。そのため、タービン静翼Ｂの背面において翼高さ方向（図１５において上下方向）に圧力勾配（圧力分布）が生じ、例えば、図１５中に細い実線で示すようなタービン静翼Ｂのチップ側（半径方向外側：図１５において上側）からハブ側（半径方向内側：図１５において下側）に向かう流れが誘起され、タービン静翼の背面に強い巻き上がり（背面の二次流れ）が発生するとともに、この巻き上がりに伴う二次流れ損失が増大して、タービン性能が低下してしまうといった問題点があった。
なお、図１５中の実線矢印は、作動流体の流れ方向を示している。
【０００５】
本発明は、上記の事情に鑑みてなされたもので、タービン静翼の背面に発生する巻き上がりを抑制することができ、この巻き上がりに伴う二次流れ損失を低減させることができるタービン翼列エンドウォールを提供することを目的とする。
【課題を解決するための手段】
【０００６】
本発明は、上記課題を解決するため、以下の手段を採用した。
本発明に係るタービン翼列エンドウォールは、環状に配列された複数のタービン静翼のチップ側に位置するタービン翼列エンドウォールであって、前記タービン静翼の上流側に位置するタービン動翼のチップと、このタービン動翼のチップに対向して配置されたチップエンドウォールとの隙間から漏れ出たクリアランス漏れ流れによって、前記タービン静翼の背面において翼高さ方向に発生する圧力勾配を緩和する圧力勾配緩和手段が設けられている。
【０００７】
本発明に係るタービン翼列エンドウォールは、環状に配列された複数のタービン静翼のチップ側に位置するタービン翼列エンドウォールであって、０％Ｃａｘを軸方向におけるタービン静翼の前縁位置、１００％Ｃａｘを軸方向におけるタービン静翼の後縁位置とし、０％ピッチをタービン静翼の背面における位置、１００％ピッチを前記タービン静翼の腹面と対向するタービン静翼の腹面における位置とした場合に、一のタービン静翼と、このタービン静翼に隣接配置された他のタービン静翼との間の、略−５０％Ｃａｘ〜＋５０％Ｃａｘの範囲内で、かつ、略０％ピッチ〜略５０％ピッチの範囲内において、全体的になだらかに隆起するとともに、軸方向に略平行に延びる凸部が設けられている
【０００８】
本発明に係るタービン翼列エンドウォールは、環状に配列された複数のタービン静翼のチップ側に位置するタービン翼列エンドウォールであって、０％Ｃａｘを軸方向におけるタービン静翼の前縁位置、１００％Ｃａｘを軸方向におけるタービン静翼の後縁位置とし、０％ピッチをタービン静翼の背面における位置、１００％ピッチを前記タービン静翼の腹面と対向するタービン静翼の腹面における位置とした場合に、一のタービン静翼と、このタービン静翼に隣接配置された他のタービン静翼との間の、略−５０％Ｃａｘ〜＋５０％Ｃａｘの範囲内で、かつ、略０％ピッチ〜略５０％ピッチの範囲内において、全体的になだらかに陥没するとともに、軸方向に略平行に延びる凹部が設けられている。
【０００９】
本発明に係るタービン翼列エンドウォールは、環状に配列された複数のタービン静翼のチップ側に位置するタービン翼列エンドウォールであって、０％Ｃａｘを軸方向におけるタービン静翼の前縁位置、１００％Ｃａｘを軸方向におけるタービン静翼の後縁位置とし、０％ピッチをタービン静翼の背面における位置、１００％ピッチを前記タービン静翼の腹面と対向するタービン静翼の腹面における位置とした場合に、一のタービン静翼と、このタービン静翼に隣接配置された他のタービン静翼との間の、略−５０％Ｃａｘ〜＋５０％Ｃａｘの範囲内で、かつ、略０％ピッチ〜略５０％ピッチの範囲内において、全体的になだらかに隆起するとともに、軸方向に略平行に延びる凸部が設けられており、一のタービン静翼と、このタービン静翼に隣接配置された他のタービン静翼との間の、略−５０％Ｃａｘ〜＋５０％Ｃａｘの範囲内で、かつ、略０％ピッチ〜略５０％ピッチの範囲内において、全体的になだらかに陥没するとともに、軸方向に略平行に延びて前記凸部に連続し前記背面との間に前記凸部を挟むように凹部が設けられている。
【００１０】
本発明に係るタービン翼列エンドウォールによれば、タービン静翼の背面に発生する巻き上がりを抑制することができ、この巻き上がりに伴う二次流れ損失を低減させることができる。
【００１１】
本発明に係るタービンによれば、タービン静翼の背面に発生する巻き上がりを抑制することができ、この巻き上がりに伴う二次流れ損失を低減させることができるタービン翼列エンドウォールを具備しているので、タービン全体の性能を向上させることができる。
【発明の効果】
【００１２】
本発明によれば、タービン静翼の背面に発生する巻き上がりを抑制することができ、この巻き上がりに伴う二次流れ損失を低減させることができるという効果を有する。
【発明を実施するための最良の形態】
【００１３】
以下、本発明に係るタービン翼列エンドウォールの第１実施形態について、図１から図３を参照しながら説明する。
図１に示すように、本実施形態に係るタービン翼列エンドウォール（以下、「チップエンドウォール」という）１０は、一のタービン静翼Ｂと、このタービン静翼Ｂに隣接配置されたタービン静翼Ｂとの間に、凸部（圧力勾配緩和手段）１１をそれぞれ有するものである。なお、図１中のチップエンドウォール１０上に描いた実線は、凸部１１の等高線を示している。
【００１４】
凸部１１は、略−３０％Ｃａｘ〜＋４０％Ｃａｘの範囲内で、かつ、略０％ピッチ〜略４０％ピッチの範囲内において、全体的になだらかに（滑らかに）隆起した部分である。
ここで、０％Ｃａｘとは、軸方向におけるタービン静翼Ｂの前縁位置のことを指し、１００％Ｃａｘとは、軸方向におけるタービン静翼Ｂの後縁位置のことを指している。また、−（マイナス）はタービン静翼Ｂの前縁位置から軸方向に沿って上流側に遡った位置のことを指し、＋（プラス）はタービン静翼Ｂの前縁位置から軸方向に沿って下流側に下った位置のことを指している。さらに、０％ピッチとは、タービン静翼Ｂの背面における位置のことを指し、１００％ピッチとは、タービン静翼Ｂの腹面における位置のことを指している。
【００１５】
凸部１１の前縁側の頂点は、略−２０％Ｃａｘの位置において略３０％ピッチの位置に形成されており、この位置から軸方向に略沿って（略平行に）第１の稜線が略−３０％Ｃａｘのところまで延びている。また、この凸部１１の前縁側の頂点の高さ（凸量）は、タービン静翼Ｂの軸コード長（タービン静翼Ｂの軸方向長さ）の１０％〜２０％（本実施形態では約１０％）とされている。
【００１６】
一方、凸部１１の後縁側の頂点は、略＋２０％Ｃａｘの位置において略１０％ピッチの位置に形成されており、この位置から軸方向に略沿って（略平行に）第２の稜線が略＋４０％Ｃａｘのところまで延びている。また、この凸部１１の後縁側の頂点の高さ（凸量）は、タービン静翼Ｂの軸コード長（タービン静翼Ｂの軸方向長さ）の１０％〜２０％（本実施形態では約１０％）とされている。
【００１７】
そして、凸部１１の頂部中央部（すなわち、前縁側の頂点と後縁側の頂点との間に位置する領域）は、前縁側の頂点と後縁側の頂点とを滑らかにつなぐような湾曲面とされている。
【００１８】
本実施形態に係るチップエンドウォール１０によれば、当該チップエンドウォール１０上には、例えば、図２中に細い実線で示すような流線が形成され、凸部１１の上流側（図１において下側）表面によどみ点が形成されて、タービン静翼Ｂの前縁から背側に回り込んだ位置（タービン静翼Ｂの前縁から背面に沿って下流側に離間した位置）にはよどみ点が形成されなくなる。
また、タービン静翼Ｂの背面と凸部１１の下流側（図１において上側）表面との間をチップエンドウォール１０の表面に沿って流れる作動流体は、タービン静翼Ｂの背面と凸部１１の下流側表面との間を通過する際に加速され、タービン静翼Ｂの背面に沿って流れることとなる。
これにより、タービン静翼Ｂの背面において翼高さ方向（図３において上下方向）に発生する圧力勾配が緩和し、タービン静翼Ｂの背面上に、例えば、図３中に細い実線で示すような流線を形成させることができ、タービン静翼Ｂの背面に発生する巻き上がりを抑制することができて、この巻き上がりに伴う二次流れ損失を低減させることができる。
なお、図３中の実線矢印は、作動流体の流れ方向を示している。
【００１９】
ここで、図４〜図６に示すチップエンドウォール１５は、上述した第１実施形態と同様、一のタービン静翼Ｂと、このタービン静翼Ｂに隣接配置されたタービン静翼Ｂとの間に、凸部１６をそれぞれ有するものである。なお、図４中のチップエンドウォール１５上に描いた実線は、凸部１６の等高線を示している。
【００２０】
図４に示すように、凸部１６は、略−３０％Ｃａｘ〜＋１０％Ｃａｘの範囲内で、かつ、略１０％ピッチ〜略５０％ピッチの範囲内において、全体的になだらかに（滑らかに）隆起した部分である。
凸部１６の前縁に近い側の頂点は、略−１０％Ｃａｘの位置において略２０％ピッチの位置に形成されており、この位置から軸方向と直交する方向に略沿って（略平行に）第１の稜線が略１０％ピッチのところまで延びている。また、この凸部１６の前縁に近い側の頂点の高さ（凸量）は、タービン静翼Ｂの軸コード長（タービン静翼Ｂの軸方向長さ）の１０％〜２０％（本実施形態では約１０％）とされている。
【００２１】
一方、凸部１６の前縁から遠い側の頂点は、略−１０％Ｃａｘの位置において略４０％ピッチの位置に形成されており、この位置から軸方向と直交する方向に略沿って（略平行に）第２の稜線が略＋５０％ピッチのところまで延びている。また、この凸部１６の後縁側の頂点の高さ（凸量）は、タービン静翼Ｂの軸コード長（タービン静翼Ｂの軸方向長さ）の１０％〜２０％（本実施形態では約１０％）とされている。
【００２２】
そして、凸部１６頂部中央部（すなわち、前縁に近い側の頂点と前縁から遠い側の頂点との間に位置する領域）は、前縁に近い側の頂点と前縁から遠い側の頂点とを滑らかにつなぐような湾曲面とされている。
【００２３】
しかしながら、このような凸部１６を有するチップエンドウォール１５では、当該チップエンドウォール１５上に、例えば、図５中に細い実線で示すような流線が形成され、タービン静翼Ｂの前縁から背側に回り込んだ位置（タービン静翼Ｂの前縁から背面に沿って下流側に離間した位置）によどみ点が形成されることとなる。そのため、チップエンドウォール１５では、図１３〜図１５を用いて説明した従来のチップエンドウォール１００と同様、タービン静翼Ｂの背面において翼高さ方向（図６において上下方向）に圧力勾配（圧力分布）が生じ、例えば、図６中に細い実線で示すようなタービン静翼Ｂのチップ側（半径方向外側：図６において上側）からハブ側（半径方向内側：図６において下側）に向かう流れが誘起され、タービン静翼Ｂの背面に強い巻き上がり（背面の二次流れ）が発生するとともに、この巻き上がりに伴う二次流れ損失が増大してしまい、上述した第１実施形態で得ることができた作用効果は得ることができなかった。
【００２４】
本発明に係るチップエンドウォールの第２実施形態を図７〜図９に基づいて説明する。
図７に示すように、本実施形態に係るチップエンドウォール２０は、一のタービン静翼Ｂと、このタービン静翼Ｂに隣接配置されたタービン静翼Ｂとの間に、凹部（圧力勾配緩和手段）２１をそれぞれ有するものである。なお、図７中のチップエンドウォール２０上に描いた実線は、凹部２１の等深線を示している。
【００２５】
凹部２１は、略−５０％Ｃａｘ〜＋４０％Ｃａｘの範囲内で、かつ、略０％ピッチ〜略５０％ピッチの範囲内において、全体的になだらかに（滑らかに）陥没した部分である。
また、この凹部２１の底点は、略０％Ｃａｘの位置において略３０％ピッチの位置に形成されており、この位置から軸方向に略沿って（略平行に）第１の谷線が略−５０％Ｃａｘのところまで延びているとともに、この位置から軸方向に略沿って（略平行に）第２の谷線が略＋４０％Ｃａｘのところまで延びている。そして、この凹部２１の底点の深さ（凹量）は、タービン静翼Ｂの軸コード長（タービン静翼Ｂの軸方向長さ）の１０％〜２０％（本実施形態では約１０％）とされている。
【００２６】
本実施形態に係るチップエンドウォール２０によれば、当該チップエンドウォール２０上には、例えば、図８中に細い実線で示すような流線が形成され、凹部２１の下流側（図７において上側）表面によどみ点が形成されて、タービン静翼Ｂの前縁から背側に回り込んだ位置（タービン静翼Ｂの前縁から背面に沿って下流側に離間した位置）にはよどみ点が形成されなくなる。
また、タービン静翼Ｂの背面と凹部２１の下流側（図７において上側）表面との間をチップエンドウォール２０の表面に沿って流れる作動流体は、タービン静翼Ｂの背面と凹部２１の下流側表面との間を通過する際に凹部２１内に流れ込むとともに加速され、タービン静翼Ｂの背面に沿って流れることとなる。
これにより、タービン静翼Ｂの背面において翼高さ方向（図９において上下方向）に発生する圧力勾配が緩和し、タービン静翼Ｂの背面上に、例えば、図９中に細い実線で示すような流線を形成させることができ、タービン静翼Ｂの背面に発生する巻き上がりを抑制することができて、この巻き上がりに伴う二次流れ損失を低減させることができる。
なお、図９中の実線矢印は、作動流体の流れ方向を示している。
【００２７】
本発明に係るチップエンドウォールの第３実施形態を図１０〜図１２に基づいて説明する。
図１０に示すように、本実施形態に係るチップエンドウォール３０は、一のタービン静翼Ｂと、このタービン静翼Ｂに隣接配置されたタービン静翼Ｂとの間に、凸部（圧力勾配緩和手段）３１と、凹部（圧力勾配緩和手段）３２とをそれぞれ有するものである。なお、図１０中のチップエンドウォール３０上に描いた実線は、凸部３１の等高線および凹部３２の等深線を示している。
【００２８】
凸部３１は、略−３０％Ｃａｘ〜＋４０％Ｃａｘの範囲内で、かつ、略０％ピッチ〜略４０％ピッチの範囲内（本実施形態では略０％ピッチ〜略３０％ピッチの範囲内）において、全体的になだらかに（滑らかに）隆起した部分である。
凸部３１の前縁側の頂点は、略−２０％Ｃａｘの位置において略２０％ピッチの位置に形成されており、この位置から軸方向に略沿って（略平行に）第１の稜線が略−３０％Ｃａｘのところまで延びている。また、この凸部３１の前縁側の頂点の高さ（凸量）は、タービン静翼Ｂの軸コード長（タービン静翼Ｂの軸方向長さ）の１０％〜２０％（本実施形態では約１０％）とされている。
【００２９】
一方、凸部３１の後縁側の頂点は、略＋２０％Ｃａｘの位置において略１０％ピッチの位置に形成されており、この位置から軸方向に略沿って（略平行に）第２の稜線が略＋４０％Ｃａｘのところまで延びている。また、この凸部３１の後縁側の頂点の高さ（凸量）は、タービン静翼Ｂの軸コード長（タービン静翼Ｂの軸方向長さ）の１０％〜２０％（本実施形態では約１０％）とされている。
【００３０】
そして、凸部３１の頂部中央部（すなわち、前縁側の頂点と後縁側の頂点との間に位置する領域）は、前縁側の頂点と後縁側の頂点とを滑らかにつなぐような湾曲面とされている。
【００３１】
凹部３２は、略−５０％Ｃａｘ〜＋４０％Ｃａｘの範囲内で、かつ、略０％ピッチ〜略５０％ピッチの範囲内において、全体的になだらかに（滑らかに）陥没した部分であり、凸部３１に連続するようにして（つながるようにして）設けられている。
また、この凹部３２の底点は、略０％Ｃａｘの位置において略３０％ピッチの位置に形成されており、この位置から軸方向に略沿って（略平行に）第１の谷線が略−５０％Ｃａｘのところまで延びているとともに、この位置から軸方向に略沿って（略平行に）第２の谷線が略＋４０％Ｃａｘのところまで延びている。そして、この凹部３２の底点の深さ（凹量）は、タービン静翼Ｂの軸コード長（タービン静翼Ｂの軸方向長さ）の１０％〜２０％（本実施形態では約１０％）とされている。
【００３２】
本実施形態に係るチップエンドウォール３０によれば、当該チップエンドウォール３０上には、例えば、図１１中に細い実線で示すような流線が形成され、凹部３２の下流側（図１０において上側）表面から凸部３１の上流側（図１０において下側）の表面にかけてよどみ点が形成されて、タービン静翼Ｂの前縁から背側に回り込んだ位置（タービン静翼Ｂの前縁から背面に沿って下流側に離間した位置）にはよどみ点が形成されなくなる。
また、タービン静翼Ｂの背面と凸部３１の下流側（図１において上側）表面との間をチップエンドウォール３０の表面に沿って流れる作動流体は、タービン静翼Ｂの背面と凸部３１の下流側表面との間を通過する際に加速され、タービン静翼Ｂの背面に沿って流れることとなる。
これにより、タービン静翼Ｂの背面において翼高さ方向（図１２において上下方向）に発生する圧力勾配が緩和し、タービン静翼Ｂの背面上に、例えば、図１２中に細い実線で示すような流線を形成させることができ、タービン静翼Ｂの背面に発生する巻き上がりを抑制することができて、この巻き上がりに伴う二次流れ損失を低減させることができる。
なお、図１２中の実線矢印は、作動流体の流れ方向を示している。
【００３３】
また、上述した実施形態に係るチップエンドウォールを具備したタービンによれば、タービン静翼の背面に発生する巻き上がりが抑制され、この巻き上がりに伴う二次流れ損失が低減することとなるので、タービン全体の性能が向上することとなる。
【００３４】
本発明は上述した実施形態に限定されるものではなく、本発明の技術的思想を逸脱しない範囲内で適宜必要に応じて変形実施、変更実施、および組合せ実施可能である。
【図面の簡単な説明】
【００３５】
【図１】本発明の第１実施形態に係るタービン翼列エンドウォールの要部平面図である。
【図２】図１に示すタービン翼列エンドウォールの表面における流線を示す図である。
【図３】図１に示すタービン翼列エンドウォールの背面における流線を示す図である。
【図４】本発明の第１実施形態に係るタービン翼列エンドウォールと類似するタービン翼列エンドウォールの要部平面図である。
【図５】図４に示すタービン翼列エンドウォールの表面における流線を示す図である。
【図６】図４に示すタービン翼列エンドウォールの背面における流線を示す図である。
【図７】本発明の第２実施形態に係るタービン翼列エンドウォールの要部平面図である。
【図８】図７に示すタービン翼列エンドウォールの表面における流線を示す図である。
【図９】図７に示すタービン翼列エンドウォールの背面における流線を示す図である。
【図１０】本発明の第３実施形態に係るタービン翼列エンドウォールの要部平面図である。
【図１１】図１０に示すタービン翼列エンドウォールの表面における流線を示す図である。
【図１２】図１０に示すタービン翼列エンドウォールの背面における流線を示す図である。
【図１３】従来のタービン翼列エンドウォールの要部平面図である。
【図１４】図１３に示すタービン翼列エンドウォールの表面における流線を示す図である。
【図１５】図１３に示すタービン翼列エンドウォールの背面における流線を示す図である。
【符号の説明】
【００３６】
１０  チップエンドウォール（タービン翼列エンドウォール）
１１  凸部（圧力勾配緩和手段）
２０  チップエンドウォール（タービン翼列エンドウォール）
２１  凹部（圧力勾配緩和手段）
３０  チップエンドウォール（タービン翼列エンドウォール）
３１  凸部（圧力勾配緩和手段）
３２  凹部（圧力勾配緩和手段）
Ｂ  タービン静翼
【図１】
0004929193.tif 000002
【図２】
0004929193.tif 000003
【図３】
0004929193.tif 000004
【図４】
0004929193.tif 000005
【図５】
0004929193.tif 000006
【図６】
0004929193.tif 000007
【図７】
0004929193.tif 000008
【図８】
0004929193.tif 000009
【図９】
0004929193.tif 000010
【図１０】
0004929193.tif 000011
【図１１】
0004929193.tif 000012
【図１２】
0004929193.tif 000013
【図１３】
0004929193.tif 000014
【図１４】
0004929193.tif 000015
【図１５】
0004929193.tif 000016